(57)【要約】  本発明は、冷蔵庫であって、冷却回路に配置された冷却器（３）が設けられていて、該冷却器（３）は熱交換器として、管区分（５）を備えて形成されており、さらに、冷却器（３）の管区分（５）の間における取付け中間室（１３）内に挿入された少なくとも１つの蓄熱エレメント（１５）が設けられている形式のものに関する。このような形式の冷蔵庫において本発明の構成では、蓄熱エレメント（１５）は、少なくとも１つの所定の空気流間隙（１７）によって、冷却器（３）の管区分（５）から間隔をおいて位置している。
2012511688.tif 000002
【特許請求の範囲】
【請求項１】
冷蔵庫、特に家庭用冷蔵庫であって、冷却回路に配置された冷却器（３）が設けられていて、該冷却器（３）は熱交換器として、冷媒を案内するための管区分（５）を備えて形成されており、さらに、冷却器（３）の管区分（５）の間における取付け中間室（１３）内に挿入された少なくとも１つの蓄熱エレメント（１５）が設けられている形式のものにおいて、蓄熱エレメント（１５）は、少なくとも１つの所定の空気流間隙（１７）によって、冷却器（３）の管区分（５）から間隔をおいて位置していることを特徴とする冷蔵庫。
【請求項２】
冷却器（３）は、前側及び／又は背側の冷却構造体（７，９）、特にワイヤ列を有しており、該冷却構造体（７，９）は、冷却器（３）の管区分（５）と一緒に取付け中間室（１３）を画成している、請求項１記載の冷蔵庫。
【請求項３】
蓄熱エレメント（１５）は無接触式に、特にほぼ真ん中で、互いに隣接する２つの管区分（５）の間に配置されている、請求項１又は２記載の冷蔵庫。
【請求項４】
取付け中間室（１３）内において冷却器（３）の管区分（５）の間に、蓄熱エレメント（１５）を保持するための少なくとも１つの保持エレメント（１９）が設けられている、請求項１から３までのいずれか１項記載の冷蔵庫。
【請求項５】
保持エレメント（１９）、特に保持ワイヤが、冷却器（３）の前側及び／又は後ろ側の冷却構造体（１５）に形成されている、請求項４記載の冷蔵庫。
【請求項６】
蓄熱エレメント（１５）は、冷却器（３）の前側の冷却構造体（７）と後ろ側の冷却構造体（９）との間において取付け中間室（１３）内でクランプ固定されている、請求項２から５までのいずれか１項記載の冷蔵庫。
【請求項７】
冷蔵庫、特に請求項１から６までのいずれか１項記載の冷蔵庫であって、冷却回路に配置された冷却器（３）が設けられていて、該冷却器（３）は熱交換器として形成されていて、該冷却器（３）の直線的な管区分（５）が管円弧部（６）を介して互いに結合されており、冷却器（３）と共働する少なくとも１つの蓄熱エレメント（１５）が設けられている形式のものにおいて、蓄熱エレメント（１５）は、縁部側において冷却器（３）の管円弧部（６）の領域に配置されていることを特徴とする冷蔵庫。
【請求項８】
冷却器（３）の、互いに反対側に位置する、特に鉛直な縁部側に、それぞれ蓄熱エレメント（１５）が配置されており、該蓄熱エレメント（１５）は冷却器の縁部側に沿って延びていて、特に取付け中間室（１３）を冷却器（３）の管区分（５）の間に残している、請求項７記載の冷蔵庫。
【請求項９】
縁部側の両蓄熱エレメント（１５）の間に、冷却器（３）の前側及び／又は後ろ側の冷却構造体（７，９）が形成されている、請求項８記載の冷蔵庫。
【請求項１０】
蓄熱エレメント（１５）はほぼ、管区分（５）に対して直角に方向付けられて蛇行した形で管区分（５）の間を通して挿通されている、請求項７から９までのいずれか１項記載の冷蔵庫。
【請求項１１】
蓄熱エレメント（１５）は、冷却器（３）の管円弧部（６）が進入する少なくとも１つの凹所を有している、請求項７から１０までのいずれか１項記載の冷蔵庫。
【請求項１２】
蓄熱エレメント（１５）はほぼＵ字形の中空成形部材であり、該中空成形部材の中空室内に、冷却器（３）の管円弧部（６）が進入している、請求項７から１１までのいずれか１項記載の冷蔵庫。
【請求項１３】
冷蔵庫、特に請求項１から１２までのいずれか１項記載の冷蔵庫であって、冷却回路に配置された冷却器（３）が設けられていて、該冷却器（３）はベンチレータ（２７）を用いて強制通気されており、該冷却器（３）は冷却空気通路（３０）内に配置されている形式のものにおいて、冷却空気通路（３０）は少なくとも部分的に、少なくとも１つの蓄熱エレメント（１５）によって画成されていることを特徴とする冷蔵庫。
【請求項１４】
蓄熱エレメント（１５）は、冷却空気通路側壁として形成されていて、該冷却空気通路側壁の間に冷却器（３）が配置されている、請求項１３記載の冷蔵庫。
【請求項１５】
蓄熱エレメント（１５）は、冷却プロセスにおいて冷却器（３）から放出された熱を吸収した時に、凝集状態を変化させる材料を有している、請求項１から１４までのいずれか１項記載の冷蔵庫。
【発明の詳細な説明】
【技術分野】
【０００１】
本願発明は、請求項１の上位概念部に記載した形式の冷蔵庫、すなわち冷蔵庫、特に家庭用冷蔵庫であって、冷却回路に配置された冷却器が設けられていて、該冷却器は熱交換器として、冷媒を案内するための管区分を備えて形成されており、さらに、冷却器の管区分の間における取付け中間室内に挿入された少なくとも１つの蓄熱エレメントが設けられている形式のものに関する。
【０００２】
冷蔵庫は、冷却回路に配置された冷却器を有している。冷却器は熱交換器であり、この冷却器もしくは熱交換器によって、冷却プロセスにおいて吸収された熱は冷却器の外で周囲空気に放出される。そのためには種々様々な構造形式の冷却器が使用される。例えば静的に通気される、つまり強制通気されない冷却器では、放熱を改善するための面積が、熱交換器の管を互いに接続するワイヤ列又は金属薄板のひれもしくはフィンによって、増大されている。このような強制通気されない冷却器は、冷蔵庫の背面に取り付けられている。それとは択一的に、強制通気される冷却器も存在し、このような冷却器はその寸法を、強制通気されない冷却器に比べて著しく小さく構成することができる。冷却器とコンプレッサとの間には、別体のベンチレータを配置することができ、このベンチレータは、その空気流によって冷却器から熱を連行排出する。
【０００３】
ＤＥ２０２００６００７５８５Ｕ１に基づいて公知の冒頭に述べた形式の冷蔵庫では、冷却器は、蛇行して延びている管、つまり蛇管を備えた管式熱交換器として形成されており、この蛇管は、水平方向に延びる直線状の管区分を有していて、これらの管区分は、縁部側に設けられた管円弧部を介して互いに接続されている。冷却回路の効率を高めるために、冒頭に述べた形式の冷蔵庫は、冷却器から放出された熱を吸収する潜熱蓄熱器（Latentwaermespeicher）を有している。冷却器から放出された熱を吸収した場合に、アグリゲート状態もしくは凝集状態（Aggregatszustand）が変化する。この凝集状態は冷却回路の停止時間中に、周囲への放熱によって再び逆転される。
【０００４】
冒頭に述べた形式の冷蔵庫では、潜熱蓄熱器は冷却器の管に直に接触している。このようにして、冷却器から潜熱蓄熱器への直接的な熱伝達が行われる。
【０００５】
本願発明の課題は、冷却回路の冷却出力を簡単な手段で高めることができる冷蔵庫を提供することである。
【０００６】
この課題を解決するために本発明の構成では、冒頭に述べた形式の冷蔵庫において請求項１の特徴部記載のように、すなわち、蓄熱エレメントが、少なくとも１つの所定の空気流間隙によって、冷却器の管区分から間隔をおいて位置しているようにした。
【０００７】
本発明の別の有利な構成は、請求項２以下に記載されている。
【０００８】
本発明は、蓄熱エレメントと、冷却器の真ん中の管区分、特に水平にかつ直線的に延びている管区分との間において、自由な流れ横断面を設けることによって、冷却器からの加速された放熱が可能になる、という認識に基づいている。そこで従来技術とは異なり、本発明では、蓄熱エレメントが、少なくとも１つの所定の空気流間隙によって、冷却器の管区分から間隔をおいて位置しているようにした。このように構成されていると、得られた空気流間隙において、付加的な自然の対流が生じ、この対流によって、冷却器からの加速された放熱が促進される。
【０００９】
冷却器の表面は、より良好な放熱を得るために、冷却構造体によって増大されていると有利である。このような冷却構造体は、冷却器の蛇管の前側及び／又は背側に、ワイヤ列として設けられることができる。択一的に、冷却器の表面積を、管区分を互いに結合するフィン状の金属薄板によって、増大させることも可能である。前側及び背側の冷却構造体は、冷却器の管区分と一緒にそれぞれ、取付け中間室を画成しており、これらの取付け中間室内には、蓄熱エレメントを挿入することができる。本発明の有利な構成では、蓄熱エレメントは無接触式に、特にほぼ真ん中で、互いに隣接する２つの管区分の間に配置されている。このように構成されていると、蓄熱エレメントは、上側の管区分及び下側の管区分から等しい間隙寸法をもって間隔をおいて位置することになる。蓄熱エレメントはほぼ条片形に構成することができる。
【００１０】
互いに隣接する冷却器管区分の間における取付け中間室において、蓄熱エレメントを持続的に位置適正に配置することが重要である。そのために本発明の別の構成では、それぞれの取付け中間室内に、蓄熱エレメントを位置固定に保持するための付加的な保持エレメントが設けられている。この保持エレメントは、特に、取付け中間室内において蓄熱エレメントに支持されている保持ワイヤであってよい。この保持エレメントは有利には、前側及び／又は後ろ側の冷却構造体に形成されており、特に溶接結合によって冷却構造体に固定されている。
【００１１】
択一的に又は付加的に、蓄熱エレメントは、前側の冷却構造体と後ろ側の冷却構造体との間において取付け中間室内で単純なクランプ結合によってクランプ固定されていることができる。
【００１２】
上に述べたように、冷却器の冷却構造体は前側及び後ろ側のワイヤ列として形成することができる。このような構成では、蓄熱エレメントの取付けは、互いに隣接した冷却装置管区分の間における、側部において開放した取付け中間室内への挿入によって、行われる。取付け中間室内への蓄熱エレメントの挿入は、冷却構造体の前側及び後ろ側のワイヤが、互いに離れる方向に弾性的かつ可撓性に屈曲することによって行われ、これにより、挿入された蓄熱エレメントは、ワイヤ列によって加えられるクランプ力によって確実に保持される。
【００１３】
既に上に述べたように、冷却器の直線的に延びる真ん中の管区分の間における自由な流れ横断面は、冷却器から周囲に向かって熱を効果的に伝達するために大きな意味がある。このような背景において、択一的又は付加的に、冷却器の縁部側において外側の管円弧部の領域に、蓄熱エレメントが配置されてもよい。このような蓄熱エレメントが配置されていると、水平方向に延びる直線的な管区分の間における取付け中間室は、空気の流動条件を高めるために完全に空いたままとなり、単に、冷却器の縁部側における外側の管円弧部だけが、蓄熱エレメントと熱伝達するように連結可能である。
【００１４】
冷却器の、互いに反対側に位置する縁部側に、それぞれ蓄熱エレメントが設けられていて、これらの蓄熱エレメントが、フレーム条片として冷却器の縁部側に沿って延びていると、有利である。
【００１５】
冷却器における簡単な保持のために有利な構成では、蓄熱エレメントはほぼ、冷却器の水平方向に延びる管区分に対してほぼ直角に方向付けられて、蛇行した形で管区分の間を通して挿通されている。このような構成では有利には、蓄熱エレメントは端部において、冷却器の管区分をループ状に取り囲むように折り曲げられて固定される。
【００１６】
縁部側の蓄熱エレメントが冷蔵庫側方において、前側及び／又は後ろ側の冷却構造体の外側に形成されていると、冷却器の効果的な放熱のために特に有利である。このように構成されていると、蓄熱エレメントは冷蔵庫側方において、冷却構造体とオーバラップすることなく配置されることになる。これにより、蓄熱エレメントがオーバラップして配置されていることに基づく、冷却構造体の効率の低下を、回避することができる。
【００１７】
上に述べたように、蓄熱エレメントは冷却器における保持のために、蛇行形状をもって、かつ冷却器の管区分に対してほぼ直角に、該管区分を通して案内されることができる。このような構成とは択一的に、蓄熱エレメントを、冷却器の外側において該冷却器の外側の管円弧部に装着することが可能である。形状結合式の結合のために、蓄熱エレメントは少なくとも１つの凹所を有していて、該凹所内に冷却器の管円弧部が進入するようになっている。
【００１８】
それとは択一的に、蓄熱エレメントは、ほぼＵ字形の中空成形部材であってよく、この中空成形部材の中空室内に、冷却器の管円弧部が進入するようになっている。このような構成では蓄熱エレメントは例えば、長く延びた押出し成形部材として、つまり製造技術的に有利なメートル単位部品として形成されることができる。冷却器の縁部側に装着された中空成形部材は、冷却器の外側の管円弧部をフード状に取り囲むことができる。
【００１９】
本発明は、強制通気されない冷却器においても、強制通気される冷却器においても使用可能である。強制通気される場合には、冷却器に別体のベンチレータが配属されており、このベンチレータは、冷却器を通して空気流を貫流させ、これによって冷却器から熱を排出する。このような構成では冷却器は、少なくとも１つの蓄熱エレメントによって部分的に画成されている冷却空気通路内に配置されている。このような構成では、蓄熱エレメントが、冷却空気通路側壁として形成されていて、該冷却空気通路側壁の間に冷却器が配置されていると、有利である。このような構成されていると、蓄熱エレメントはダブル機能をもって、付加的に空気案内部分としても使用される。
【００２０】
冷却器からの排熱効果を高めるために、本発明の別の有利な構成では、蓄熱エレメントは、冷却プロセスにおいて冷却器から放出された熱を吸収した時に、凝集状態を変化させる材料を有している。凝集状態の変化は、冷却回路の停止時間中に、周囲への熱放出によって再び逆転される。このような材料は、マトリックスにおいて固定された材料であって、実際の温度とは無関係に等しい機械的な特性を有する材料である。この場合、凝集状態の変化のために重要な転移点は、典型的な周囲温度よりも、又は冷蔵庫のエネルギ消費を測定するための規定された温度よりも、高くてよい。このようになっていると、蓄熱エレメントが冷却回路の停止時間中に再び転移点を下回る温度に下がることが保証される。動的に通気される冷却器では、ベンチレータを、冷却回路の停止時間中に作動させることができ、これによって冷却器は全体として効果的に冷却されることができる。
【００２１】
次に図面を参照しながら本願発明の実施の形態を説明する。
【図面の簡単な説明】
【００２２】
【図１】冷却器と部分的に挿入された蓄熱エレメントとを備えた、第１実施形態による冷蔵庫を後ろから見た斜視図である。
【図２】冷却器に挿入された蓄熱エレメントを、図１のＩ−Ｉ線に沿って断面しかつ拡大して示す図である。
【図３】図２に相当する断面図であって、変化実施形態を示す図である。
【図４】図２に相当する断面図であって、さらに別の変化実施形態を示す図である。
【図５】冷却器における蓄熱エレメントの第２実施形態を示す図である。
【図６】第２実施形態による蓄熱エレメントの変化実施形態を示す図である。
【図７】蓄熱エレメントを備えていて強制通気される冷却器の第３実施形態を示す図である。
【００２３】
図１は、ハウジング背壁に取り付けられたコンデンサもしくは冷却器３を備えた冷蔵庫を、後ろから見た斜視図である。冷却器３は静的に通気されていて（つまり強制通気されずに）、蛇行して延びている蛇管を有しており、この蛇管は、水平方向において直線的に延びる管区分５を有していて、これらの管区分５は鉛直平面において互いに間隔をおいてかつ上下に配置されている。図１で見て真ん中の管区分５は、側部の管円弧部６を介して互いに接続されている。
【００２４】
冷却器３は、前側及び後ろ側の冷却構造体としてワイヤ列７，９を有しており、これらのワイヤ列７，９は、良好な放熱のために冷却器表面を大きくする。図２には冷却器の一部が断面して示されている。この図２に示されているように、前側及び後ろ側のワイヤ列７，９のワイヤは、結合ポイント１１を介してそれぞれの管区分５に固定されている。図２に示された互いに隣接した管区分５は、ワイヤ列７，９と一緒に、それぞれ冷蔵庫横方向において開放した取付け中間室１３を形成しており、この取付け中間室１３内には、図１に示されているように、ここでは例えば条片形に形成された蓄熱エレメント１５が挿入可能である。蓄熱エレメントは例えば、物質によって満たされた縦長の袋体（Beutel）であってよく、この物質は、冷却プロセスにおいて冷却器から放出される熱の吸収時に、その凝集状態（Aggregatszustand）を変えることができる。
【００２５】
図２に示されているように、条片形の蓄熱エレメント１５は無接触式に空気流間隙１７を介して、上側の管区分５及び下側の管区分５から間隔をおいて位置している。従って従来技術とは異なり、冷却器の管区分５との直接的な接触は省かれている。むしろ空気流間隙１７によって、冷却器３の領域における流れ条件を改善することができ、冷却器３からの放熱時における効果は高められている。
【００２６】
蓄熱エレメント１５の安定した保持のために、取付け中間室１３の内部には、保持エレメントとして、図３に示されたワイヤ部材１９が設けられており、これらのワイヤ部材１９もしくは保持エレメントは、例えば溶接結合部を介して前側及び後ろ側のワイヤ列７，９に固定されている。蓄熱エレメント１５は図３に示されているように、両方のワイヤ部材１９に確実かつ持続的に支持されている。
【００２７】
図３とは択一的に、図４に示された実施形態では、蓄熱エレメント１５の幅は次のように、すなわち取付け状態においてクランプ力Ｆｋがワイヤ列７，９から間に配置された蓄熱エレメント１５に加えられるように、寸法設定されている。この実施形態では、冷却器３への蓄熱エレメント１５の取付け時にワイヤ列７，９のワイヤは弾性的に可撓性に互いに離れる方向に曲げられており、これによって条片形の蓄熱エレメント１５を取付け中間室１３内に挿入することができる。
【００２８】
図５には、冷蔵庫の背側に設けられた冷却器３及び蓄熱エレメント１５の第２実施形態が示されている。既に述べた図とは異なり、図５に示した蓄熱エレメント１５は、鉛直方向にかつ、冷却器の水平な管区分５に対してほぼ垂直に方向付けられている。条片形の蓄熱エレメント１５は、この場合蛇行しながら、横方向外側の管円弧部６の領域において管区分５の間を貫いて挿通されている。このような配置形式では、真っ直ぐで水平な管区分５の間における取付け中間室１３は、完全に自由なままにすることができ、これによって冷却器３の真っ直ぐな管区分５の間における空気対流を、蓄熱エレメント１５によって損なうことなしに得ることができる。
【００２９】
冷却器３の、図５には示されていない左側にも、同様に、鉛直方向に配置された条片形の蓄熱エレメント１５が設けられている。そして両方の側部の蓄熱エレメント１５の間には、突入する蓄熱エレメント１５に基づく損失なしに、冷却器３の表面積を増大させるワイヤ列７，９が配置されている。
【００３０】
図５に示された蓄熱エレメント１５の上端部２１は、ループ状に冷却器３の上側の管区分５を取り囲んで案内されていて、略示された固定ピン２３を用いて固定されている。
【００３１】
図６には、図５に示した実施形態の変化実施形態が示されており、この変化実施形態においても同様に冷却器３の縁部側に蓄熱エレメント１５が配置されている。図６から分かるように、ここでも冷却器の右側の背側だけが示されている。図示されていない左側は、ほぼ鏡面対称的に同様に縁部側の蓄熱エレメント１５を備えて形成されている。図５とは異なり、図６では蓄熱エレメント１５は、ほぼＵ字形の剛性の中空成形体である。この条片形の中空成形体は、開放した側でフード状に、冷却器３の縁部側の管円弧部６に装着されている。蓄熱エレメント１５のＵ字脚２４によって画成された中空室は、冷却器の管円弧部６がクランプ応力の形成下で蓄熱エレメント１５内に挿入され得るように、寸法設定されている。図５におけるように、図６においても、側部において被せ嵌められた両蓄熱エレメント１５の間には、冷却構造体７，９が設けられている。
【００３２】
図７には、既に述べた実施形態とは異なり、強制通気される冷却器３を備えた冷蔵庫が、コンプレッサ２５と、該コンプレッサ２５と冷却器３との間に配置された別体のベンチレータ２７と共に示されている。
【００３３】
図７に示した、冷却器３とベンチレータ２７とコンプレッサ２５とから成る複合体は、冷蔵庫の機械室２８内に配置されている。この機械室２８は、冷蔵庫の後ろ側の底部領域に形成されている。
【００３４】
運転時にベンチレータ２７は冷却空気流Ｉを生ぜしめ、この冷却空気流Ｉは冷却器３を通して引っ張られる。冷却器はここではフィン型熱交換器である。冷却器３のそばを通る漏れ流を回避するために、冷却器３は気密な冷却空気通路３０内に配置されている。
【００３５】
この冷却空気通路３０は図７では、機械室２８の上側のカバー壁と、下側のベースプレート３２とによって画成されており、この下側のベースプレート３２に前記複合体は設置されている。構造深さ方向ｘにおいて冷却空気通路３０は、縁側において直立して配置された２つの蓄熱エレメント１５によって画成されている。この２つの蓄熱エレメント１５は、図６におけると同様に、冷却器３の縁部側の管円弧部６に装着されていて、ダブル機能をもって気密に冷却空気通路３０を画成している。
【００３６】
そのために蓄熱エレメント１５はそれぞれ、冷却器に向けられた側に凹所を有していることができ、これらの凹所には管円弧部６が形状結合式に挿入可能である。
【符号の説明】
【００３７】
１  冷蔵庫、  ３  冷却器、  ５  冷却器の管区分、  ６  冷却器の管円弧部、  ７，９  冷却構造体、  １１  結合ポイント、  １３  取付け中間室、  １５  蓄熱エレメント、  １７  空気流間隙、  １９  保持エレメント、  ２１  蓄熱エレメントの上端部、  ２３  固定ピン、  ２４  蓄熱エレメントのＵ字脚、  ２５  コンプレッサ、  ２７  ベンチレータ、  ２８  機械室、  ３０  冷却空気通路、  ３２  ベースプレート、  Ｉ  冷却空気流、  ｘ  構造深さ方向、  Ｆｋ  クランプ力
【図１】
2012511688.tif 000003
【図２】
2012511688.tif 000004
【図３】
2012511688.tif 000005
【図４】
2012511688.tif 000006
【図５】
2012511688.tif 000007
【図６】
2012511688.tif 000008
【図７】
2012511688.tif 000009
【国際調査報告】
2012511688.tif 000010
2012511688.tif 000011
2012511688.tif 000012
2012511688.tif 000013
2012511688.tif 000014
2012511688.tif 000015
2012511688.tif 000016
2012511688.tif 000017
2012511688.tif 000018
2012511688.tif 000019